(57)【要約】【課題】放熱装置を有する画像スキャナーを提供する。【解決手段】本発明は、放熱装置を有する画像スキャナーを開示する。画像スキャナーは、筐体とこの筐体に設けられるスキャニング・モジュールを含む。スキャニング・モジュールは、スキャンするための光束を発する光源を有する。第一の放熱板は、筐体のホーム・ポジションに設置され、第二の放熱板は、筐体の底部に設けられる。第一の放熱板と第二の放熱板とを接続し、熱をスキャナー外部に排出する。【選択図】図1
2007097108.tif 000002
【特許請求の範囲】
【請求項１】
放熱装置を有する画像スキャナーであって、
ホーム・ポジションを有する筐体と、
前記筐体に設けられ、スキャンを行わない場合に前記ホーム・ポジションに位置し、スキャンするための光束を発するライトチューブ及び当該ライトチューブに起動電圧を印加するインバータを含むスキャニング・モジュールと、
前記筐体に設けられる第一の放熱板と、
前記ホーム・ポジションに設けられ、熱伝導接続部により前記第一の放熱板と接続される第二の放熱板と、
を有する、
画像スキャナー。
【請求項２】
前記筐体は、上部カバーと下部カバーを含み、前記第一の放熱板は、当該上部カバーの内面に設置される、
請求項１に記載の画像スキャナー。
【請求項３】
前記第一の放熱板は、前記スキャニング・モジュールのカバーであり、
前記スキャニング・モジュールは、前記インバータに付着される熱伝導ゴムと、前記第一の放熱板および前記第二の放熱板と接触する金属弾性片とを更に含む、
請求項１に記載の画像スキャナー。
【発明の詳細な説明】
【技術分野】
【０００１】
本発明は、画像スキャナーに関し、特に、放熱装置を有する画像スキャナーに関する。
【背景技術】
【０００２】
放熱問題は、画像スキャナーを含む電子装置にとって重要な技術課題である。
【０００３】
画像スキャナー内の熱は、一般的に、光源（例えば、ライトチューブとインバータ）により生成される。この熱は、スキャナーの構成要素（例えば、画像センサ）の動作に影響を与える。よって、光源による熱は、適切に処理されなければ、画像の質が低下する。
【０００４】
現在、解像度の高い画像スキャナーは、通常、二つのライトチューブを使用してスキャニングに照明を提供する。二つのチューブによる熱は、一つのチューブによる熱より多いので、放熱問題は、以前よりもっと重要となる。
【０００５】
台湾実用新案第461657号は、前述した放熱問題を解決する装置を開示している。具体的には、スキャナーのライトスタンドに放熱板を取り付け、ライトチューブによる熱を放出し、ファンによりスキャナー外部に排出する。
【０００６】
しかし、ファンが動く際に、ダストがスキャナーに引き込まれる。このダストは、スキャナー内部の構成要素と電気回路を汚染する。
【０００７】
ゆえに、放熱問題を解決できるスキャナーを提供することが必要である。
【発明の開示】
【発明が解決しようとする課題】
【０００８】
本発明の目的は、熱を排出できる放熱装置を有する画像スキャナーを提供することにある。
【課題を解決するための手段】
【０００９】
前述の目的を達成するために、本発明の画像スキャナーは、ホーム・ポジションを有する筐体と、この筐体に設けられ、スキャンを行わない場合にホーム・ポジションに位置し、スキャンするための光束を発するライトチューブ及びこのライトチューブに起動電圧を印加するインバータを含むスキャニング・モジュールと、筐体に設けられる第一の放熱板と、筐体のホーム・ポジションに設けられ、熱伝導接続部により第一の放熱板と接続される第二の放熱板とを含む。
【００１０】
第一の好適な実施形態において、筐体は、上部カバーと下部カバーを有し、第一の放熱板は、上部カバーの内面に設置される。
【００１１】
第二の好適な実施形態において、第一の放熱板は、スキャニング・モジュールのカバーである。また、スキャニング・モジュールは、インバータに付着される熱伝導ゴムと、第一の放熱板および第二の放熱板と接触する金属弾性片とを更に含む。
【発明の効果】
【００１２】
本発明は、熱を排出できる放熱装置を有する画像スキャナーを提供する。
【発明を実施するための最良の形態】
【００１３】
次に、添付した図面を参照しながら、本発明の好適な実施形態を詳細に説明する。
【００１４】
図１は、本発明の好適な実施形態に係る画像スキャナーの分解組み立て図である。本発明の放熱装置は、ライトチューブとインバータによる熱を排出することができる。
【００１５】
図１に示すように、本発明の画像スキャナー１０００は、筐体と、この筐体内にあるスキャニング・モジュール３００とを含み、この筐体は、上部カバー１００と下部カバー２００を含み、スキャニング・モジュール３００は、ライトチューブ３０１と、インバータ３０２と、カバー板３０３とを含む。放熱板１０１は、上部カバー１００の内面に設けられ、放熱板２０１は、下部カバー２００の内面に設けられる。熱伝導ユニット５００は、カバー板３０３と放熱板１０１との間に設置され、金属弾性片であっても良い。
【００１６】
上部カバー１００は、文書を置くためのガラス板１０２を有し、スキャニング・モジュール３００は、方向Aに沿って移動し、文書をスキャンする。スキャンが完了すると、スキャニング・モジュール３００は、筐体の一端に戻り、即ち、図１の位置Rに戻る。この位置Rは、ホーム・ポジション（Home  Position）と称される。
【００１７】
放熱板１０１は、細長い形状であり、熱を吸収できる材料（例えば、金属片）からなる。また、放熱板１０１は、そのより長いサイドがスキャン方向Aと垂直するように設置される。
【００１８】
下部カバー２００は、ホーム・ポジションRに形成される長方形の貫通穴２０２を有し、放熱板２０１は、従来の方法で貫通穴２０２に固定される。スキャナー内の熱は、貫通穴２０２を径由してスキャナー外部に排出される。
【００１９】
スキャニング・モジュール３００は、予熱状態である時に、或いは、スキャンを完了した時に、ホーム・ポジションRに戻る。この際、ライトチューブ３０１による熱は、放熱板１０１に吸収される。放熱板１０１は、熱伝導接続部により放熱板２０１と接続されるので、放熱板１０１に吸収された熱は、放熱板２０１に伝導され、貫通穴２０２を径由してスキャナー外部に排出される。熱伝導接続部は、放熱板１０１の両端を放熱板２０１と直接接触するように延伸し、或いは、熱伝導材料で放熱板１０１と２０１を接続することにより形成される。
【００２０】
また、本発明は、インバータ３０２にも放熱装置を提供する。
【００２１】
図１に示すように、熱伝導ゴム４００は、インバータ３０２に付着され、スキャニング・モジュール３００のカバー板３０３と接触する。
【００２２】
スキャニング・モジュール３００のカバー板３０３は、金属材料からなり、導電体である。インバータ３０２による熱は、熱伝導ゴム４００を介してカバー板３０３へ伝導し、そして、熱伝導ユニット５００へ伝導し、放熱板２０１によりスキャナー外部に排出される。
【００２３】
本発明は、スキャナーの主な熱発生源であるライトチューブとインバータを含むスキャナー光源の放熱装置を提供し、また、熱をスキャナー外部に排出する放熱板を提供するので、従来の技術と比べれば、ダストによる汚染を避けることができる。
【００２４】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２５】
【図１】本発明の好適な実施形態に係る画像スキャナーの分解組み立て図である。
【符号の説明】
【００２６】
100  上部カバー
101  放熱板
102  ガラス板
201  放熱板
202  貫通穴
300  スキャニング・モジュール
301  ライトチューブ
302  インバータ
303  カバー板
400  熱伝導ゴム
500  熱伝導ユニット
1000  画像スキャナー
【図１】
2007097108.tif 000003